(57)【要約】      （修正有）【課題】ガスコンロ本体内に備える制御部の動作に支障が生じたり、制御部が故障したりしたときにも、ガスコンロのメンテナンス時に、ガスコンロの故障履歴情報を確認することができるメンテナンス性に優れたガスコンロシステムを提供する。【解決手段】（ａ）ガスコンロ本体と、ガスバーナと、調理容器温度検出手段と、制御部２０と、送受信部２２とを備えたガスコンロと、（ｂ）情報記憶部３１を有する外部機器２Ｘと、を備えたガスコンロシステムにおいて、制御部２０から、送受信部２２を介して、外部機器２Ｘにガスコンロのメンテナンス情報を送信することができるように構成するとともに、外部機器２Ｘの情報記憶部３１に、ガスコンロのメンテナンス情報を記憶させることができるようにする。無線通信によってガスコンロと外部機器との間で通信信号の送受信を行うことで、外部機器にメンテナンス情報を送信する。【選択図】図３
2018169111.tif 000002
【特許請求の範囲】
【請求項１】
（ａ）上面がトッププレートにより覆われたガスコンロ本体と、
前記ガスコンロ本体内に配設されたガスバーナであって、その炎孔部を前記トッププレートに設けられた開口部から前記トッププレートの上方に突出させたガスバーナと、
前記ガスバーナの平面視中央に設けられた貫通口を上下に貫通するように配設され、調理容器の温度を検出するための調理容器温度検出手段と、
前記ガスバーナによる加熱を制御するための制御部と、
前記ガスコンロ本体に設けられ、通信信号の送受信を行う送受信部と
を備えたガスコンロと、
（ｂ）情報記憶部を有する外部機器と、
を備え、
前記制御部から、前記送受信部を介して、前記外部機器に前記ガスコンロのメンテナンス情報を送信することができるように構成されているとともに、
前記外部機器の前記情報記憶部に、前記ガスコンロの前記メンテナンス情報を記憶させることができるように構成されていること
を特徴とするガスコンロシステム。
【請求項２】
前記ガスコンロが、前記メンテナンス情報を記憶するための情報一時記憶部を備えており、
前記外部機器の前記情報記憶部に記憶されている前記メンテナンス情報を、前記ガスコンロに送信して、前記情報一時記憶部に記憶させることができるように構成されているとともに、
前記ガスコンロの前記情報一時記憶部に記憶されている前記メンテナンス情報を、前記外部機器に送信して、前記情報記憶部に記憶させることができるように構成されていること
を特徴とする請求項１記載のガスコンロシステム。
【請求項３】
無線通信によって前記ガスコンロと前記外部機器との間で通信信号の送受信を行うことで、前記外部機器に前記メンテナンス情報を送信するように構成されていることを特徴とする請求項１または２記載のガスコンロシステム。
【請求項４】
無線中継器を介して、インターネットにより、前記ガスコンロと前記外部機器との間で通信信号の送受信を行うことで、前記外部機器に前記メンテナンス情報を送信するように構成されていることを特徴とする請求項３記載のガスコンロシステム。
【請求項５】
前記送受信部が、携帯電話回線を介して、前記外部機器との間で通信信号の送受信を行うことで、前記外部機器に前記メンテナンス情報を送信するように構成されていることを特徴とする請求項３記載のガスコンロシステム。
【請求項６】
前記ガスコンロには、前記ガスコンロを特定するＩＤコードが付与されており、前記外部機器の前記情報記憶部に、前記ＩＤコードとともに前記メンテナンス情報を記憶させるように構成されていることを特徴とする請求項４または５記載のガスコンロシステム。
【請求項７】
前記ガスコンロに、前記ガスコンロを特定するＩＤコードが付与されている場合において、
前記ＩＤコードを前記メンテナンス情報とともに前記外部機器に送信して、前記情報記憶部に記憶させることができるように構成されているとともに、
前記外部機器の前記情報記憶部に記憶されている前記ＩＤコードと前記メンテナンス情報を、前記ガスコンロに送信して、前記情報一時記憶部に記憶させ、かつ、
前記ガスコンロの前記情報一時記憶部に記憶されている前記ＩＤコードと前記メンテナンス情報を、前記外部機器に送信して、前記情報記憶部に記憶させることができるように構成されていること
を特徴とする請求項２記載のガスコンロシステム。
【発明の詳細な説明】
【技術分野】
【０００１】
本発明は、ガスコンロシステムに関し、詳しくは、故障履歴などのメンテナンス情報を記憶することが可能で、記憶したメンテナンス情報を利用して、ガスコンロなどのメンテナンスを行うことができるように構成されたガスコンロシステムに関する。
【背景技術】
【０００２】
ガスコンロなどの燃焼機器の中には、故障履歴情報を記憶する機能を備え、メンテナンスなどの際に故障履歴情報を利用することができるようにしたものがある。
【０００３】
そのような燃焼機器の一つとして、特許文献１には、燃焼機器から故障履歴情報を含むメンテナンス信号をリモコンに送信することができるようにした燃焼機器がある。
【０００４】
この特許文献１の燃焼機器において、故障履歴情報は、燃焼機器に備える親機情報記憶手段に記憶される。
【０００５】
そして、特許文献１の燃焼機器の場合、メンテナンスの際に、故障履歴情報を含むメンテナンス信号をリモコンにおいて確認しながら、燃焼機器のメンテナンスを行うことができる．したがって、特許文献１の燃焼機器は、適正なメンテナンスを行うことができる点で有意義である。
【先行技術文献】
【特許文献】
【０００６】
【特許文献１】特開２００３−３２２３３６号公報
【発明の概要】
【発明が解決しようとする課題】
【０００７】
しかし、ガスコンロにおいて、特許文献１の燃焼機器のように、故障情報をガスコンロ本体に備える情報記憶手段に記憶しておき、メンテナンスの際にリモコンを用いて故障履歴情報を参照できるように構成した場合、以下に説明するような問題を生じる。
【０００８】
つまり、最近のガスコンロは、加熱対象である調理容器の底部に当接して、調理容器の底部の温度を検出する温度検出装置を備えるものが主流である。
【０００９】
そして、そのようなガスコンロの場合、ガスコンロにおける加熱手段であるコンロバーナの中央にはコンロバーナを上下に貫通する貫通口が設けられ、この貫通口を上記温度検出装置が上下に貫通するように構成されるのが一般的である。
【００１０】
ところで、上記貫通口と温度検出装置との間には、通常、所定の間隙が設けられており、この間隙を経て、調理容器から溢れた煮汁や調理油などがガスコンロ本体の内部に侵入するおそれがある。
【００１１】
そして、上記温度検出装置を備えたガスコンロの場合においても、調理容器から溢れた煮汁や調理油などがガスコンロ本体内に侵入したときに、ガスコンロ本体内の制御部が溢れた煮汁や調理油などによってその動作に支障が生じないような策が講じられている。
【００１２】
しかしながら、万が一、調理容器から溢れた煮汁や調理油などにより、制御部の動作に支障が生じたり、制御部が故障したりしたときには、ガスコンロのメンテナンス時に、ガスコンロの故障履歴情報を確認することができなくなる。この点で従来のガスコンロには改善の余地があるのが実情である。
【００１３】
本発明は、上記の課題を解決するもので、ガスコンロ本体内に備える制御部の動作に支障が生じたり、制御部が故障したりしたときにも、ガスコンロのメンテナンス時に、ガスコンロの故障履歴情報を確認することができるメンテナンス性に優れたガスコンロシステムを提供することを目的とする。
【課題を解決するための手段】
【００１４】
上記の目的を達成するために、本発明のガスコンロシステムは、
（ａ）上面がトッププレートにより覆われたガスコンロ本体と、
前記ガスコンロ本体内に配設されたガスバーナであって、その炎孔部を前記トッププレートに設けられた開口部から前記トッププレートの上方に突出させたガスバーナと、
前記ガスバーナの平面視中央に設けられた貫通口を上下に貫通するように配設され、調理容器の温度を検出するための調理容器温度検出手段と、
前記ガスバーナによる加熱を制御するための制御部と、
前記ガスコンロ本体に設けられ、通信信号の送受信を行う送受信部と
を備えたガスコンロと、
（ｂ）情報記憶部を有する外部機器と、
を備え、
前記制御部から、前記送受信部を介して、前記外部機器に前記ガスコンロのメンテナンス情報を送信することができるように構成されているとともに、
前記外部機器の前記情報記憶部に、前記ガスコンロの前記メンテナンス情報を記憶させることができるように構成されていること
を特徴としている。
【００１５】
本発明のガスコンロシステムにおいては、
前記ガスコンロが、前記メンテナンス情報を記憶するための情報一時記憶部を備えており、
前記外部機器の前記情報記憶部に記憶されている前記メンテナンス情報を、前記ガスコンロに送信して、前記情報一時記憶部に記憶させることができるように構成されているとともに、
前記ガスコンロの前記情報一時記憶部に記憶されている前記メンテナンス情報を、前記外部機器に送信して、前記情報記憶部に記憶させることができるように構成されていること
が好ましい。
【００１６】
また、無線通信によって前記ガスコンロと前記外部機器との間で通信信号の送受信を行うことで、前記外部機器に前記メンテナンス情報を送信するように構成されていることが好ましい。
【００１７】
また、無線中継器を介して、インターネットにより、前記ガスコンロと前記外部機器との間で通信信号の送受信を行うことで、前記外部機器に前記メンテナンス情報を送信するように構成することも可能である。
【００１８】
また、前記送受信部が、携帯電話回線を介して、前記外部機器との間で通信信号の送受信を行うことで、前記外部機器に前記メンテナンス情報を送信するように構成することも可能である。
【００１９】
また、前記ガスコンロには、前記ガスコンロを特定するＩＤコードが付与されており、前記外部機器の前記情報記憶部に、前記ＩＤコードとともに前記メンテナンス情報を記憶させるように構成されていることが好ましい。
【００２０】
また、前記ガスコンロに、前記ガスコンロを特定するＩＤコードが付与されている場合において、
前記ＩＤコードを前記メンテナンス情報とともに前記外部機器に送信して、前記情報記憶部に記憶させることができるように構成されているとともに、
前記外部機器の前記情報記憶部に記憶されている前記ＩＤコードと前記メンテナンス情報を、前記ガスコンロに送信して、前記情報一時記憶部に記憶させ、かつ、
前記ガスコンロの前記情報一時記憶部に記憶されている前記ＩＤコードと前記メンテナンス情報を、前記外部機器に送信して、前記情報記憶部に記憶させることができるように構成されていることが好ましい。
【発明の効果】
【００２１】
本発明のガスコンロシステムは、上述のように、（ａ）ガスコンロ本体と、ガスバーナと、調理容器温度検出手段と、ガスバーナによる加熱を制御するための制御部と、通信信号の送受信を行う送受信部とを備えたガスコンロと、（ｂ）情報記憶部を有する外部機器とを備えているとともに、制御部から、送受信部を介して、外部機器にガスコンロのメンテナンス情報を送信することができるように構成されているとともに、外部機器の情報記憶部に、ガスコンロのメンテナンス情報を記憶させることができるように構成されているので、ガスコンロの制御部の動作に支障が生じたり、制御部が故障して動作しなくなったりした場合にも、ガスコンロのメンテナンス時に、ガスコンロの故障履歴情報などのメンテナンス情報を確認することが可能になり、メンテナンス性に優れたガスコンロを提供することができる。
【００２２】
本発明のガスコンロシステムにおいて、ガスコンロが、メンテナンス情報を記憶するための情報一時記憶部を備えており、外部機器の情報記憶部に記憶されているメンテナンス情報を、ガスコンロに送信して、情報一時記憶部に記憶させ、かつ、ガスコンロの情報一時記憶部に記憶されているメンテナンス情報を、外部機器に送信して、情報記憶部に記憶させることができるように構成した場合、例えば、外部機器を他の機種に変更する必要が生じたような場合に、外部機器の情報記憶部に記憶されているメンテナンス情報を、ガスコンロの情報一時記憶部に送信し、外部機器の機種変更を行った後、ガスコンロの情報一時記憶部から、機種変更された新しい外部機器にメンテナンス情報を送信して情報記憶部に記憶させることにより、問題なく外部機器の交換を行うことが可能になる。
【００２３】
また、無線通信によってガスコンロと外部機器との間で通信信号の送受信を行うことで、外部機器にメンテナンス情報を送信するように構成した場合、外部機器との間で通信信号の送受信を行うための配線の接続が不要になり、構成が簡潔で、使い勝手の良好なガスコンロシステムを提供することが可能になる。
【００２４】
また、無線中継器を介して、インターネットにより、ガスコンロと外部機器との間で通信信号の送受信を行うことで、外部機器にメンテナンス情報を送信するように構成した場合、外部機器がガスコンロから離れた場所にあっても、外部機器へのメンテナンス情報の送信を確実に行うことが可能で、設置位置の自由度が高く、使い勝手の良好なガスコンロシステムを提供することができる。
【００２５】
また、送受信部が、携帯電話回線を介して、外部機器との間で通信信号の送受信を行うことで、外部機器にメンテナンス情報を送信するように構成した場合も、外部機器がガスコンロから離れた場所にあっても、外部機器へのメンテナンス情報の送信を確実に行うことが可能で、設置位置の自由度が高く、使い勝手の良好なガスコンロシステムを提供することができる。外部機器が離れた場所にあっても、外部機器へのメンテナンス情報の送信が可能になる。
【００２６】
また、ガスコンロには、ガスコンロを特定するＩＤコードが付与されており、外部機器の情報記憶部に、ＩＤコードとともにメンテナンス情報を記憶させるように構成した場合、一つの外部機器の情報記憶部に、複数のガスコンロに関するメンテナンス情報を記憶した場合にも、各ガスコンロのメンテナンス情報が、いずれのガスコンロに関するメンテナンス情報であるかを確実に知ることができるので、複数のガスコンロのそれぞれのメンテナンス情報を確実に認識することが可能で、信頼性の高いメンテナンスを行うことができる。
【００２７】
また、ガスコンロに、ガスコンロを特定するＩＤコードが付与されている場合において、ＩＤコードをメンテナンス情報とともに外部機器に送信して、情報記憶部に記憶させるように構成するとともに、外部機器の情報記憶部に記憶されているＩＤコードとメンテナンス情報を、ガスコンロに送信して、情報一時記憶部に記憶させ、かつ、ガスコンロの情報一時記憶部に記憶されているＩＤコードとメンテナンス情報を、外部機器に送信して、情報記憶部に記憶させることができるように構成した場合、ガスコンロのＩＤコードがメンテナンス情報とともに外部機器に記憶されるので、ガスコンロのＩＤコードが格納されている箇所に故障が生じた場合にも、外部機器に該ＩＤコードに関する情報が失われることを防止して、信頼性を向上させることができる。
【図面の簡単な説明】
【００２８】
【図１】本発明の一実施形態にかかるガスコンロシステムを構成するガスコンロの斜視図である。
【図２Ａ】本発明の一実施形態のガスコンロシステムにおけるガスコンロと外部機器との無線通信の概要を示す図である。
【図２Ｂ】本発明の一実施形態の変形例にかかるガスコンロシステムのガスコンロと外部機器との無線通信の概要を示す図である。
【図２Ｃ】本発明の一実施形態のさらに他の変形例にかかるガスコンロシステムのガスコンロと外部機器との無線通信の概要を示す図である。
【図２Ｄ】本発明の一実施形態のさらに他の変形例にかかるガスコンロシステムのガスコンロと外部機器との無線通信の概要を示す図である。
【図３】本発明の一実施形態にかかるガスコンロシステムにおけるガスコンロと外部機器との無線通信の概要を示すブロック図である。
【図４】本発明の別実施形態にかかるガスコンロシステムにおけるガスコンロと外部機器との無線通信の概要を示すブロック図である。
【発明を実施するための形態】
【００２９】
以下、本発明の実施形態を示して、その特徴とするところをさらに詳しく説明する。
【００３０】
［実施形態］
図１に示すように、この実施形態にかかるガスコンロ１００は、ガスコンロ本体Ｈの上面部に、左右一対のコンロバーナ（ガスバーナ）１を備え、ガスコンロ本体Ｈの内部にグリルＧを備えている。
また、ガスコンロ本体Ｈの前面には、グリル扉８が設けられている。
【００３１】
このガスコンロ１００は、キッチンカウンタに形成したコンロ装着口に上方から挿入して組付ける、いわゆるビルトインタイプとして構成されており、ガスコンロ本体Ｈの上部の周縁部には、キッチンカウンタに載置する鍔部が形成されている。
【００３２】
ガスコンロ本体Ｈの上部には、ガラス製のトッププレート２が装備され、トッププレート２の後部側箇所には、グリルＧの調理排気を排出するためのグリル排気口３が形成されている。
【００３３】
また、トッププレート２の上部には、コンロバーナ１にて加熱される鍋等の被加熱物を載置するための五徳４が、左右のコンロバーナ１の夫々に対応して設けられている。
【００３４】
なお、コンロバーナ１はその炎孔部がトッププレート２の上方に臨むような態様で配設されている。
【００３５】
また、コンロバーナ１の平面視中央部には上下に貫通する貫通口が設けられており、図１に示すように、鍋等の被加熱物の存在及び被加熱物の底壁温度を検出するコンロバーナセンサ１０が貫通口を上下に挿通する形態で設けられている。
【００３６】
ガスコンロ本体Ｈの上部に装備したトッププレート２の手前側箇所には、左右のコンロバーナ１の夫々に対する左右一対のコンロ用操作具５が、上方に離脱自在に設けられ、ガスコンロ本体Ｈの前面部の右側箇所には、グリルＧに対するグリル用設定操作部６が、下方側を支点にした前後揺動により開閉自在に設けられている。なお、図１は、グリル用設定操作部６が開いた状態を示している。
【００３７】
ちなみに、一対のコンロ用操作具（点火操作部）５のそれぞれは、前後や左右のスライド操作および左右の回転操作により、点火および消火の指令、目標火力の指令、目標温度に維持する自動温度調理の指令など、各種の指令情報を指令するように構成されている。
【００３８】
グリル用設定操作部６は、複数の指令スイッチを備えて、それらの複数の指令スイッチの操作により、後述する加熱調理用のグリル加熱手段としてのグリルバーナ（ガスバーナ）（図示せず）に対する点火および消火の指令、目標火力の指令、調理モードの指令など、各種の指令情報を指令することができるように構成されている。
【００３９】
また、コンロバーナ１およびグリルバーナによる加熱は、制御部２０（図３参照）によって制御されるように構成されている。
【００４０】
そして、コンロバーナ（ガスバーナ）１およびグリルバーナ（図示せず）による加熱は、制御部２０への通電状態においてのみ実行されるよう構成されている。
【００４１】
＜特徴的構成＞
次に、本発明の実施形態にかかるガスコンロ１００の特徴的な構成について説明する。
【００４２】
図１に示すように、この実施形態にかかるガスコンロ（グリル付きガスコンロ）１００は、上述のように、上面がトッププレート２により覆われたガスコンロ本体Ｈと、ガスコンロ本体Ｈ内に配設され、その炎孔部１１をトッププレート２に設けられた開口部２ａからトッププレート２の上方に突出させたガスバーナ１と、ガスバーナ１の平面視中央に設けられた貫通口１ｂを上下に貫通するように配設され、調理容器の温度を検出するための調理容器温度検出手段（温度センサ）１０と、ガスバーナ１による加熱を制御するための制御部２０（図３）を備えている。
【００４３】
また、この実施形態にかかるコンロシステムを構成するガスコンロ１００において、ガスコンロ本体Ｈの備える制御部２０は、図３に示すように、送受信部２２と、メンテナンス情報を記憶する情報一時記憶部（不揮発性メモリ）２１とを備えている。
【００４４】
さらに、この実施形態にかかるコンロシステムは、外部機器２Ｘ（図２Ａ）を備えている。外部機器２Ｘは、図３に示すように、ガスコンロ本体Ｈ（の制御部２０）が備える送受信部２２との送受信を行うための外部機器側送受信部３２と、ガスコンロ本体Ｈの制御部から送信されるメンテナンス情報などの情報を記憶するための情報記憶部（不揮発性メモリ）３１と、条件の設定入力などを行うための操作、および設定した条件などの表示を行う操作・表示部３３とを備えている。
【００４５】
すなわち、この実施形態のコンロシステムは、ガスコンロ本体Ｈの制御部２０から外部機器２Ｘに対して、メンテナンス情報を送信することが可能で、送信されたメンテナンス情報は、外部機器２Ｘの情報記憶部３１に記憶されるように構成されている。
【００４６】
この実施形態のコンロシステムにおいては、メンテナンス情報として、ガスコンロ１００の故障に関する履歴（故障履歴）、コンロバーナ１の点火時の不着火、調理中におけるコンロバーナ１の途中消火などの情報が含まれる。そして、この故障履歴、コンロバーナ１の不着火、途中消火などのメンテナンス情報は、制御部２０の情報一時記憶部２１に一旦保存された後、ガスコンロ本体Ｈの制御部２０が備える送受信部２２、外部機器２Ｘが備える外部機器側送受信部３２を介して、外部機器２Ｘの情報記憶部（メンテナンス情報記憶部）３１に送信される。
【００４７】
また、この実施形態のガスコンロシステムにおいては、コンロバーナ１への点火時に不着火が生じた場合に、エラー情報として、例えばエラーコード「０１」が制御部２０の備える情報一次記憶部２１に一旦保存され、また、コンロバーナ１において調理容器から吹きこぼれた煮汁などによって途中消火が生じた場合に、エラー情報として、例えばエラーコード「０２」が制御部２０の備える情報一次記憶部２１に一旦保存されるように構成されている。そして、情報一次記憶部２１に一旦保存されたこれらのエラーコードも、ガスコンロ本体Ｈの制御部２０が備える送受信部２２、外部機器２Ｘの備える外部機器側送受信部３２を介して、外部機器２Ｘの備える情報記憶部（メンテナンス情報記憶部）３１に転送される。
【００４８】
また、この実施形態にかかるガスコンロシステムにおいては、図２Ａに示すように、無線通信回路Ｙによって、ガスコンロ１００と外部機器２Ｘとの間で通信信号の送受信を行う無線通信システムＳを構築することで、外部機器２Ｘにメンテナンス情報を送信することができるように構成されている。したがって、ガスコンロ１００と外部機器２Ｘとの間で通信信号の送受信を行うための配線の接続が不要である。
【００４９】
また、上述のように、無線通信により、ガスコンロ１００と外部機器２Ｘとの間で通信信号の送受信が行われるため、外部機器２Ｘが離れた場所にあっても、配線を必要とすることなく、容易かつ確実に外部機器２Ｘにメンテナンス情報を送信することを可能ならしめることができる。
【００５０】
なお、外部機器２Ｘとしては、当該ガスコンロ（グリル付きガスコンロ）１００に専用の端末機器を用いてもよいし、汎用機器であるスマートフォンなどの携帯電話器を使用することも可能である。
【００５１】
この実施形態のガスコンロシステムは上述のように構成されているので、ガスコンロ本体Ｈが備える制御部２０の動作に支障が生じたり、制御部２０に故障が生じたりしたときにも、故障履歴、コンロバーナ１の点火時の不着火、調理中におけるコンロバーナ１の途中消火などの情報であるメンテナンス情報を、外部機器２Ｘにおいて確認することが可能で、これにより精度の高いメンテナンスを行うことが可能で、メンテナンス性に優れたガスコンロシステムを提供することができる。
【００５２】
なお、この実施形態にかかるガスコンロシステムにおいては、上述のように、無線通信によってガスコンロ１００と外部機器２Ｘとの間で通信信号の送受信を行うことで、外部機器２Ｘにメンテナンス情報を送信することができるように構成されており、ガスコンロ１００と外部機器２Ｘとの間で通信信号の送受信を行うための配線の接続が不要になり、構成を簡潔にすることが可能になるとともに、信頼性を向上させることが可能になる。
【００５３】
また、ガスコンロ１００の制御部２０が、メンテナンス情報を記憶するための情報一時記憶部２１を備えており、外部機器２Ｘの情報記憶部３１に記憶されているメンテナンス情報を、ガスコンロ１００に送信して、情報一時記憶部２１に記憶させることが可能で、また、情報一時記憶部２１に記憶されているメンテナンス情報を外部機器２Ｘに送信して、情報記憶部３１に記憶させることが可能に構成されているので、例えば、ガスコンロ本体Ｈの制御部２０を交換したり、外部機器２Ｘを他の機種に変更したりする必要が生じた場合に、情報一時記憶部２１あるいは情報記憶部３１の記憶しているメンテナンス情報を、送信の相手側の記憶部、すなわち、情報記憶部３１あるいは情報一時記憶部２１に送信した後、上記制御部２０あるいは外部機器２Ｘを交換し、その後、交換された制御部２０あるいは外部機器２Ｘに、送信の相手側からメンテナンス情報を戻すことにより、問題なく制御部２０、外部機器２Ｘの交換を行うことが可能になる。
【００５４】
上記実施形態では、図２Ａに示すように、無線通信回路Ｙによって、ガスコンロ１００と外部機器２Ｘとの間で通信信号の送受信を行うことで、外部機器２Ｘにメンテナンス情報を送信することができるように構成したが、本発明のガスコンロシステムでは、図２Ｂに示すように、ガスコンロ本体Ｈが備える制御部２０（図３）と、インターネットＸに接続された無線ルータなどの無線中継器３Ｘとが無線によって接続され、インターネットＸに接続された外部機器２Ｘとの間で、インターネットＸを介して通信信号の送受信を行う無線通信システムＳを構成して、外部機器２Ｘへのメンテナンス情報の送信を行うようにすることも可能である。
【００５５】
また、図２Ｃに示すように、ガスコンロ１００の制御部２０（図３）が備える送受信部２２が携帯電話回線Ｚを介して外部機器２Ｘとの間で通信信号の送受信を行う無線通信システムＳを構成して、外部機器２Ｘへのメンテナンス情報の送信を行うようにすることも可能である。この場合、ガスコンロ本体Ｈの制御部２０（図３）が備える送受信部２２が、携帯電話回線Ｚを介して外部機器２Ｘに対する発呼を行い、外部機器２Ｘがこの発呼に対して応答することで携帯電話回線Ｚが接続され、外部機器２Ｘへのメンテナンス情報の送信が完了した後、携帯電話回線Ｚが切断されることになる。
【００５６】
このように、ガスコンロ本体Ｈの制御部２０（図３）が備える送受信部２２が携帯電話回線Ｚを介して外部機器２Ｘとの間で通信信号の送受信を行うように構成した場合も、外部機器２Ｘがガスコンロ１００から離れた場所にあるときにも、外部機器２Ｘへのメンテナンス情報の送信を行うことが可能なガスコンロシステムを構成することができる。
【００５７】
さらに、図２Ｄに示すように、ガスコンロ１００の制御部２０（図３）が備える送受信部２２が、無線ルータなどの無線中継器３Ｘを介して、通信信号の送受信を行う無線通信システムＳを構成して、外部機器２Ｘへのメンテナンス情報の送信を行うようにしてもよい。
【００５８】
また、この実施形態のガスコンロシステムでは、ガスコンロ（グリル付きガスコンロ）１００に対して、各ガスコンロ１００を識別し、特定するＩＤコードが付与されている。すなわち、通常、量産されるガスコンロ１００には、それぞれ異なる製造番号が付与されており、それに対応するように、各ガスコンロ１００に、それぞれ異なるＩＤコード（各ガスコンロ１００を特定するＩＤコード）が付与されている。
【００５９】
そして、制御部２０の情報一時記憶部２１に、メンテナンス情報とともにＩＤコードが記憶されるように構成されている。
【００６０】
このように構成した場合、一つの外部機器２Ｘが備える情報記憶部（メンテナンス情報記憶部）に、複数のガスコンロ１００に関するメンテナンス情報を記憶させた場合であっても、どのガスコンロ１００に関するメンテナンス情報であるかを確認することができる。
【００６１】
したがって、複数のガスコンロ１００に対して、一つの外部機器２Ｘで、各ガスコンロ１００のメンテナンス情報を記憶させるようにした場合にも、それぞれのガスコンロ１００に対するメンテナンス情報を適正に確認することが可能になり、ガスコンロシステムの構成の自由度を向上させることができる。
【００６２】
また、例えば、集合住宅の各家庭で、本発明のガスコンロシステムが用いられている場合に、一つ家庭のガスコンロシステムから外部機器にメンテナンス情報が送信された場合に、ＩＤコードを参照することで、そのメンテナンス情報（誤ったメンテナンス情報）に基づいて他の家庭のガスコンロのメンテナンスが行われてしまうというような不具合を確実に防止することができる
【００６３】
また、上記実施形態では、例えば、図２Ａ、図２Ｂ、図２Ｃおよび図２Ｄに示すような無線通信システムＳで、ガスコンロ本体Ｈの制御部と、外部機器２Ｘとの間でメンテナンス情報の送受信を行うことができるように構成したガスコンロシステムについて説明したが、有線通信によってガスコンロ１００と外部機器２Ｘとの通信が行われるように構成してもよい。
【００６４】
［別実施形態］
図４は、本発明の別実施形態にかかるにガスコンロシステムの構成を示すブロック図である。このガスコンロシステムにおいても、ガスコンロ１００が備えるガスコンロ本体Ｈの制御部２０は、上述の実施形態にかかるガスコンロシステム（図３参照）の場合と同様に、情報一時記憶部２１と、送受信部２２とを備えている。
【００６５】
一方、外部機器としては、サーバである第１外部機器１２Ｘと、端末機器である第２外部機器２２Ｘとを備えた構成とされている。すなわち、この別実施形態にかかるガスコンロシステムでは、外部機器が、サーバである第１外部機器１２Ｘと、端末機器である第２外部機器２２Ｘとから構成されている。
【００６６】
なお、上述の第１外部機器１２Ｘは、インターネットに接続されるサーバであって、情報記憶部（メンテナンス情報記憶部）１３１と、送受信部１３２を備えている。
【００６７】
また、第２外部機器２２Ｘは、第１外部機器１２Ｘとの間で送受信を行うための送受信部２３２と、第１外部機器の情報記憶部１３１が記憶するメンテナンス情報を表示するとともに、条件の設定入力などの操作を行うための操作・表示部２３３とを備えた端末機器であり、例えば、スマートフォンなどがこの第２外部機器２２Ｘとして用いられる。
【００６８】
この別実施形態のガスコンロシステムの場合、送受信部２３２と、操作・表示部２３３とを備えた第２外部機器（例えばスマートフォンなどの端末機器）２２Ｘが、第１外部機器（サーバ）１２Ｘとの間で通信を行って、第１外部機器（サーバ）１２Ｘの情報記憶部１３１に記憶されているメンテナンス情報を、第２外部機器（例えばスマートフォン）２２Ｘの操作・表示部２３３に表示するとともに、第２外部機器２２の操作・表示部２３３を操作することにより、第１外部機器１２Ｘの情報記憶部１３１が記憶するメンテナンス情報を、ガスコンロ本体Ｈの制御部２０に送ることができる。
【００６９】
また、第１外部機器１２Ｘ（サーバ）に必要なメンテナンス情報などが保存されるため、信頼性の高いガスコンロシステムを構築することができる。
【００７０】
この実施形態では、ビルトインタイプのガスコンロ（グリル付きガスコンロ）に本発明を適用した場合を例示したが、本発明は、卓上設置型のテーブルコンロにも適用することが可能である。また、本発明はグリルは備えていないガスコンロにも適用することが可能である。
【００７１】
本発明は、さらにその他の点においても上記実施形態に限定されるものではなく、本発明の範囲内において種々の変形を加えることが可能である。
【符号の説明】
【００７２】
１          左右一対のガスバーナ（コンロバーナ）
１ａ        ガスバーナの貫通口
２          トッププレート
２ａ        トッププレートの開口部
３          グリル排気口
４          五徳
５          左右一対のコンロ用操作具
６          グリル用設定操作部
８          グリル扉
１０        調理容器温度検出手段（温度センサ）
１１        炎孔部
２０        制御部
２１        情報一時記憶部
２２        送受信部
３１        外部機器の情報記憶部（不揮発性メモリ）
３２        外部機器側送受信部
３３        外部機器の操作・表示部
１００      ガスコンロ（グリル付きガスコンロ）
Ｇ          グリル
Ｈ          ガスコンロ本体
Ｓ          通信システム
Ｘ          通信経路（インターネット）
Ｙ          通信経路（無線通信回路）
Ｚ          通信経路（携帯電話回線）
２Ｘ        スマートフォンなどの外部機器
３Ｘ        無線中継器（無線ルータ）
１２Ｘ      第１外部機器
２２Ｘ      第２外部機器
１３１      第１外部機器の情報記憶部（メンテナンス情報記憶部）
１３２      第１外部機器の送受信部
２３２      第２外部機器の送受信部
２３３      第２外部機器の操作・表示部
【図１】
2018169111.tif 000003
【図２Ａ】
2018169111.tif 000004
【図２Ｂ】
2018169111.tif 000005
【図２Ｃ】
2018169111.tif 000006
【図２Ｄ】
2018169111.tif 000007
【図３】
2018169111.tif 000008
【図４】
2018169111.tif 000009